【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
システム帯域幅の第１の周波数帯域中で、送信時間間隔（ＴＴＩ）中に第１のアップリンクメッセージを送信することと、
再チューニング能力を示すシグナリングを送信することと、
第２のＴＴＩの第１の部分中に、送信機を前記システム帯域幅の第２の周波数帯域に再チューンすることと、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のアップリンクメッセージを送信することと、ここにおいて、前記第２のアップリンクメッセージを送信することが、前記第２のＴＴＩの前記第１の部分の周りでレートマッチングすることを備える、
を備える、方法。
【請求項２】
前記第２のＴＴＩの前記第１の部分の前記持続時間が、ユーザ機器（ＵＥｓ）の間の特定された再チューニング時間に少なくとも部分的に基づく、請求項１に記載の方法。
【請求項３】
前記第２のＴＴＩの前記第２の部分が、前記第２のＴＴＩの前記第１の部分によってパンクチャされる、請求項１に記載の方法。
【請求項４】
ワイヤレス通信の方法であって、
システム帯域幅の第１の周波数帯域中で、第１の送信時間間隔（ＴＴＩ）中に第１のダウンリンクメッセージを受信することと、
再チューニング能力を示すシグナリングを送信することと、
第２のＴＴＩの第１の部分中に、受信機を前記システム帯域幅の第２の周波数帯域に再チューンすることと、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のダウンリンクメッセージを受信することと、ここにおいて、前記第２のダウンリンクメッセージが、前記第１のダウンリンクメッセージの周りでレートマッチングされる、
を備える、方法。
【請求項５】
前記第２のＴＴＩの前記第１の部分が、前記第２のＴＴＩのデータ領域の一部と制御領域とを備える、請求項４に記載の方法。
【請求項６】
前記第２のＴＴＩの前記第１の部分が前記第２のダウンリンクメッセージの一部を備えると決定することと、および
他のデータを備えるシンボルによって前記第２のダウンリンクメッセージがパンクチャされるという仮定に少なくとも部分的に基づいて、前記第２のダウンリンクメッセージを復号することと
をさらに備える、請求項４に記載の方法。
【請求項７】
前記第２のＴＴＩの前記第１の部分が、前記第２のＴＴＩの初期シンボル期間を備え、ここにおいて、前記方法が、
前記第２のＴＴＩの前記初期シンボル期間以外の前記第２のＴＴＩのシンボル中で基準信号を受信することを備える、
請求項４に記載の方法。
【請求項８】
前記基準信号を使用して、チャネル推定、周波数追跡、または時間追跡を実行すること、ここにおいて、前記基準信号のパターンが、前記第１から前記第２の周波数帯域にチューンするためのものとしての前記第２のＴＴＩの前記指定に少なくとも部分的に基づく、
をさらに備える、請求項７に記載の方法。
【請求項９】
前記システム帯域幅の前記第１の周波数帯域から前記システム帯域幅の前記第２の周波数帯域にチューンするために前記第２のＴＴＩが指定されたことを示すシグナリングを受信すること
をさらに備える、請求項７に記載の方法。
【請求項１０】
前記シグナリングがシステム情報を備える、請求項９に記載の方法。
【請求項１１】
ワイヤレス通信のための装置であって、
システム帯域幅の第１の周波数帯域中で、送信時間間隔（ＴＴＩ）中に第１のアップリンクメッセージを送信するための手段と、
再チューニング能力を示すシグナリングを送信するための手段と、
第２のＴＴＩの第１の部分中に、送信機を前記システム帯域幅の第２の周波数帯域に再チューンするための手段と、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のアップリンクメッセージを送信するための手段と、
前記第２のＴＴＩの前記第１の部分の周りでレートマッチングするための手段と
を備える、装置。
【請求項１２】
前記第２のＴＴＩの前記第１の部分の持続時間が、ユーザ機器の間の特定された再チューニング時間に少なくとも部分的に基づく、請求項１１に記載の装置。
【請求項１３】
ワイヤレス通信のための装置であって、
システム帯域幅の第１の周波数帯域中で、第１の送信時間間隔（ＴＴＩ）中に第１のダウンリンクメッセージを受信するための手段と、
再チューニング能力を示すシグナリングを送信するための手段と、
第２のＴＴＩの第１の部分中に、受信機を前記システム帯域幅の第２の周波数帯域に再チューンするための手段と、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のダウンリンクメッセージを受信するための手段と、ここにおいて、前記第２のダウンリンクメッセージが、前記第１のダウンリンクメッセージの周りでレートマッチングされる、
を備える、装置。
【請求項１４】
前記第２のＴＴＩの前記第１の部分が、前記第２のＴＴＩのデータ領域の一部と制御領域とを備える、請求項１３に記載の装置。
【請求項１５】
前記第２のＴＴＩの前記第１の部分が前記第２のダウンリンクメッセージの一部を備えると決定するための手段と、
他のデータを備えるシンボルによって前記第２のダウンリンクメッセージがパンクチャされるという仮定に少なくとも部分的に基づいて、前記第２のダウンリンクメッセージを復号するための手段と
をさらに備える、請求項１４に記載の装置。
【手続補正２】
【補正対象書類名】明細書
【補正対象項目名】０２６５
【補正方法】変更
【補正の内容】
【０２６５】
[0273]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に本願発明の当初の特許請求の範囲に記載された発明を付記する。
［Ｃ１］
ワイヤレス通信の方法であって、
システム帯域幅の第１の周波数帯域中で、送信時間間隔（ＴＴＩ）中に第１のアップリンクメッセージを送信することと、
第２のＴＴＩの第１の部分中に、送信機を前記システム帯域幅の第２の周波数帯域に再チューンすることと、および
前記第２の周波数帯域中で、前記第２のＴＴＩの第２の部分中に第２のアップリンクメッセージを送信することと
を備える、方法。
［Ｃ２］
前記第２のＴＴＩの前記第１の部分の持続時間が、ユーザ機器（ＵＥｓ）の間の特定された再チューニング時間に少なくとも部分的に基づく、Ｃ１に記載の方法。
［Ｃ３］
前記第２のアップリンクメッセージを送信することが、前記第２のＴＴＩの前記第１の部分の周りでレートマッチングすることを備える、
をさらに備える、Ｃ１に記載の方法。
［Ｃ４］
前記第２のＴＴＩの前記第１の部分の持続時間が、前記送信機の再チューニング能力に少なくとも部分的に基づく、Ｃ１に記載の方法。
［Ｃ５］
前記第２のＴＴＩの前記第２の部分が、前記第２のＴＴＩの前記第１の部分によってパンクチャされる、Ｃ４に記載の方法。
［Ｃ６］
再チューニング能力を示すシグナリングを送信することをさらに備え、ここにおいて、前記第２のＴＴＩの前記第１の部分の持続時間が、前記再チューニング能力に少なくとも部分的に基づく、
Ｃ１に記載の方法。
［Ｃ７］
ワイヤレス通信の方法であって、
システム帯域幅の第１の周波数帯域中で、第１の送信時間間隔（ＴＴＩ）中に第１のダウンリンクメッセージを受信することと、
第２のＴＴＩの第１の部分中に、受信機を前記システム帯域幅の第２の周波数帯域に再チューンすることと、および
前記第２の周波数帯域中で、前記第２のＴＴＩの第２の部分中に第２のダウンリンクメッセージを受信することと
を備える、方法。
［Ｃ８］
前記第２のＴＴＩの前記第１の部分が、前記第２のＴＴＩのデータ領域の一部と制御領域とを備える、Ｃ７に記載の方法。
［Ｃ９］
前記第２のＴＴＩの前記第１の部分が前記第２のダウンリンクメッセージの一部を備えると決定することと、および
他のデータを備えるシンボルによって前記第２のダウンリンクメッセージがパンクチャされるという仮定に少なくとも部分的に基づいて、前記第２のダウンリンクメッセージを復号することと
をさらに備える、Ｃ８に記載の方法。
［Ｃ１０］
再チューニング能力を示すシグナリングを送信することをさらに備え、ここにおいて、前記第２のＴＴＩの前記第１の部分の持続時間が、前記再チューニング能力に少なくとも部分的に基づく、
Ｃ７に記載の方法。
［Ｃ１１］
前記第２のダウンリンクメッセージが、前記第１のダウンリンクメッセージの周りでレートマッチングされる、Ｃ７に記載の方法。
［Ｃ１２］
前記第２のＴＴＩの前記第１の部分が、前記第２のＴＴＩの初期シンボル期間を備え、ここにおいて、前記方法が、
前記第２のＴＴＩの前記初期シンボル期間以外の前記第２のＴＴＩのシンボル中で基準信号を受信することを備える、
Ｃ７に記載の方法。
［Ｃ１３］
前記ＴＴＩの基準信号を使用して、チャネル推定、周波数追跡、または時間追跡を実行すること、ここにおいて、前記基準信号のパターンが、前記第１から前記第２の周波数帯域にチューンするためのものとしての前記ＴＴＩの前記指定に少なくとも部分的に基づく、
をさらに備える、Ｃ１２に記載の方法。
［Ｃ１４］
前記システム帯域幅の前記第１の周波数帯域から前記システム帯域幅の前記第２の周波数帯域にチューンするために前記第２のＴＴＩが指定されたことを示すシグナリングを受信すること
をさらに備える、Ｃ１２に記載の方法。
［Ｃ１５］
前記シグナリングがシステム情報を備える、Ｃ１４に記載の方法。
［Ｃ１６］
ワイヤレス通信のための装置であって、
システム帯域幅の第１の周波数帯域中で、送信時間間隔（ＴＴＩ）中に第１のアップリンクメッセージを送信するための手段と、
第２のＴＴＩの第１の部分中に、送信機を前記システム帯域幅の第２の周波数帯域に再チューンするための手段と、および
前記第２の周波数帯域中で、前記第２のＴＴＩの第２の部分中に第２のアップリンクメッセージを送信するための手段と
を備える、装置。
［Ｃ１７］
前記第２のＴＴＩの前記第１の部分の持続時間が、ユーザ機器（ＵＥｓ）の間の特定された再チューニング時間に少なくとも部分的に基づく、Ｃ１６に記載の装置。
［Ｃ１８］
前記第２のＴＴＩの前記第１の部分の周りでレートマッチングするための手段
をさらに備える、Ｃ１６に記載の装置。
［Ｃ１９］
前記第２のＴＴＩの前記第１の部分の持続時間が、前記送信機の再チューニング能力に少なくとも部分的に基づく、Ｃ１６に記載の装置。
［Ｃ２０］
前記第２のＴＴＩの前記第２の部分が、前記第２のＴＴＩの前記第１の部分によってパンクチャされる、Ｃ１９に記載の装置。
［Ｃ２１］
再チューニング能力を示すシグナリングを送信するための手段をさらに備え、ここにおいて、前記第２のＴＴＩの前記第１の部分の持続時間が、前記再チューニング能力に少なくとも部分的に基づく、
Ｃ１６に記載の装置。
［Ｃ２２］
ワイヤレス通信のための装置であって、
システム帯域幅の第１の周波数帯域中で、第１の送信時間間隔（ＴＴＩ）中に第１のダウンリンクメッセージを受信するための手段と、
第２のＴＴＩの第１の部分中に、受信機を前記システム帯域幅の第２の周波数帯域に再チューンするための手段と、および
前記第２の周波数帯域中で、前記第２のＴＴＩの第２の部分中に第２のダウンリンクメッセージを受信するための手段と
を備える、装置。
［Ｃ２３］
前記第２のＴＴＩの前記第１の部分が、前記第２のＴＴＩのデータ領域の一部と制御領域とを備える、Ｃ２２に記載の装置。
［Ｃ２４］
前記第２のＴＴＩの前記第１の部分が前記第２のダウンリンクメッセージの一部を備えると決定するための手段と、
他のデータを備えるシンボルによって前記第２のダウンリンクメッセージがパンクチャされるという仮定に少なくとも部分的に基づいて、前記第２のダウンリンクメッセージを復号するための手段と
をさらに備える、Ｃ２３に記載の装置。
［Ｃ２５］
再チューニング能力を示すシグナリングを送信するための手段をさらに備え、ここにおいて、前記第２のＴＴＩの前記第１の部分の持続時間が、前記再チューニング能力に少なくとも部分的に基づく、
Ｃ２２に記載の装置。
［Ｃ２６］
前記第２のダウンリンクメッセージが、前記第１のダウンリンクメッセージの周りでレートマッチングされる、Ｃ２２に記載の装置。
［Ｃ２７］
前記第２のＴＴＩの前記第１の部分が、前記第２のＴＴＩの初期シンボル期間を備え、ここにおいて、前記方法が、前記第２のＴＴＩの前記初期シンボル期間以外の前記第２のＴＴＩのシンボル中で基準信号を受信することを備える、Ｃ２２に記載の装置。
［Ｃ２８］
前記ＴＴＩの基準信号を使用して、チャネル推定、周波数追跡、または時間追跡を実行するための手段、ここにおいて、前記基準信号のパターンが、前記第１から前記第２の周波数帯域にチューンするためのものとしての前記ＴＴＩの前記指定に少なくとも部分的に基づく、
をさらに備える、Ｃ２７に記載の装置。
［Ｃ２９］
前記システム帯域幅の前記第１の周波数帯域から前記システム帯域幅の前記第２の周波数帯域にチューンするために前記第２のＴＴＩが指定されたことを示すシグナリングを受信するための手段
をさらに備える、Ｃ２７に記載の装置。
［Ｃ３０］
前記シグナリングがシステム情報を備える、Ｃ２９に記載の装置。